【事件の表示】
　特願２００６−２４１０６３「基板ケース」拒絶査定不服審判事件〔平成２０年　３月１３日出願公開、特開２００８−　５５１１２〕について、次のとおり審決する。
【結　論】
　本件審判の請求は、成り立たない。
【理　由】
１．手続きの経緯
　本願は平成１８年９月６日の出願であって、同年１１月２１日付の拒絶理由が通知され、同年１２月２８日付で提出された意見書および手続補正書を補正する同年１２月２９日付の意見書および手続補正書が提出され、平成２０年３月１４日付の拒絶査定がなされたのに対して、同年３月２１日付で拒絶査定不服審判請求がなされると同時に手続補正がなされたものである。
　　　　　　　　　　　　　　　　　　　　　　　　　　　　　　　
２．平成２０年３月２１日付の手続補正についての補正却下の決定
［補正却下の決定の結論］
　平成２０年３月２１日付の手続補正を却下する。
　　　　　　　　　　　　　　　　　　　　　　　　　　　　　　　　
［理由］
［１］補正の内容と補正の適否
　平成２０年３月２１日付の手続補正（以下、「本件補正」という。）は、平成１８年１２月２９日付で補正された特許請求の範囲の請求項１に係る発明である　　　　　　　　　　　　　　　　　　　　　　　　　　
　「【請求項１】遊技機の制御用主基板を機内に取付けるための基板ケースであって、前記基板ケースは、前記制御用主基板を内部に密封する透明の上基板ケース及び下基板ケースからなり、前記上基板ケースと前記下基板ケースは上下から嵌め込むことにより複数の爪と対応する爪穴で結合され、前記上基板ケースには、箱型形状で外周を取り巻く外枠と、前記外枠の内側に前記制御用主基板の全周を取り囲むリブ、並びに前記リブと前記外枠の間には複数の貫通穴及び前記貫通穴の間に切断部が形成されており、前記切断部の全てをカットすることにより、天板部が切断され、前記爪と前記爪穴が外れること、を特徴とする基板ケース。」（以下、「本願発明」という。）
　　　　　　　　　　　　　　　　　　　　　　　　　　　　　　　
　を
　　　　　　　　　　　　　　　　　　　　　　　　　　　　　　　
　「遊技機の制御用主基板を機内に取付けるための基板ケースであって、前記基板ケースは、前記制御用主基板を内部に密封する透明の上基板ケース及び下基板ケースからなり、前記上基板ケースと前記下基板ケースは上下から嵌め込むことにより複数の爪と対応する爪穴で結合され、前記上基板ケース
の天板部
となるように前記天板部
の前記天板部にのみ
前記
前記制御用主基板を取り出すことが可能にな
　　　　　　　　　　　　　　　　　　　　　　　　　　　
　そして、本件補正は、本願発明の「前記上基板ケースには」を「前記上基板ケース
の天板部
となるように前記天板部
の前記天板部にのみ
　一方、本願発明の「前記爪と前記爪穴が外れること」を本願補正発明の「
前記制御用主基板を取り出すことが可能にな
　したがって、本件補正は、本願発明を限定的に減縮するものであり、かつ、誤記の訂正を行うものであるから、平成１８年改正前特許法第１７条の２第４項第２号、３号の規定に適合している。
　そこで、本願補正発明が、特許出願の際独立して特許を受けることができるものであるか（平成１８年改正前特許法第１７条の２第５項において準用する同法第１２６条第５項に適合するか）について以下に検討する。
　　　　　　　　　　　　　　　　　　　　　　　　　　　　　
［２］本願補正発明の独立特許要件の適否
（１）引用例について
１）引用例１について
　原査定の拒絶理由に引用された刊行物である特開２００５−１１１０２８号公報（以下、「引用例１」という。）には、以下の技術事項が図面とともに記載されている。
　　　　　　　　　　　　　　　　　　　　　　　　　　　
・記載事項１
　「【００８３】  主制御装置１３１は台座装置２１０を介して筐体１１の背板１１ｃに取り付けられるようになっており、以下にはこれら主制御装置１３１と台座装置２１０とにより構成される主基板ユニット２００について説明する。図８は（ａ）が主基板ユニット２００の平面図、（ｂ）が（ａ）の下方から見た側面図、図９は同主基板ユニット２００を表側から見た斜視図、図１０は同主基板ユニット２００を裏側から見た斜視図、図１１は同主基板ユニット２００の分解斜視図である。まずは、これら図８〜図１１を用いて主基板ユニット２００の概要について説明する。なお以下の主基板ユニット２００の説明では、特に指定しない限り図８の状態を基準に左右方向を記述する。」
　　　　　　　　　　　　　　　　　　　　　　　　　　
・記載事項２
　「【００８４】  主基板ユニット２００において、台座装置２１０は、筐体１１の背板１１ｃ内側に固定される固定ベース板２１１と、この固定ベース板２１１に回動可能に支持される可動ベース板２１２とを有している。また、主制御装置１３１は、表裏一対のケース体２７１，２７２を有し、それら各ケース体２７１，２７２間に挟まれるようにして主基板２７３が収容されている。固定ベース板２１１、可動ベース板２１２及び各ケース体２７１，２７２は何れも、主基板２７３に合わせるようにして略横長四角状をなし、ポリカーボネート樹脂等の透明な合成樹脂材料により成形されている。なお以下の説明では、表側のケース体２７１を表ケース体、裏側のケース体２７２を裏ケース体とも言う。表ケース体２７１及び裏ケース体２７２により基板ボックスが構成されている。そして、筐体１１の背板１１ｃに台座装置２１０を組み付け、更に台座装置２１０の可動ベース板２１２上に主制御装置１３１を装着することで、主基板ユニット２００が筐体１１に取り付けられるようになっている。」
　　　　　　　　　　　　　　　　　　　　　　　　　　　
・記載事項３
　「【００９７】  次に、主制御装置１３１の構成について詳述する。図１３は、主制御装置１３１を構成する各ケース体２７１，２７２と主基板２７３とを拡大して示す分解斜視図である。
【００９８】  主基板２７３上には、図示しない配線パターンが施されるとともに、ＣＰＵやＲＯＭ等のＩＣチップ２７４を含む各種電子部品、入出力コネクタ２７５、検査用コネクタ２７６等が実装されている。特に、ＩＣチップ２７４は、基板面に対してチップが立った状態で実装される、いわゆるＺＩＰ（Zigzag In-line Package）タイプ構造又はＳＩＰ（Single In-line Package）構造等の縦型素子が採用されており、チップ側面には製造メーカ、品番といった識別情報や固有情報等が印刷されている。主基板２７３は、隅角部に複数設けた小孔を通じてネジ２７７により表ケース体２７１に固定されるようになっている。
【００９９】  表ケース体２７１は、主基板２７３上の比較的背の高い電子部品等を収容可能とする主基板収容部を有しており、周縁部には一段低い段部２８１が形成されている。段部２８１には、主基板２７３上の入出力コネクタ２７５を挿通させるための複数のコネクタ挿通孔２８２が形成されている。なお、符号２８３は、主基板２７３上の検査用コネクタ２７６に通ずる開口部である。図示は省略するが、表ケース体２７１の天井部分等には多数の通気孔が形成されている。
【０１００】  また、表ケース体２７１の長辺部において上下各縁部には、表ケース体２７１の側壁に沿って直線状に延びる突条部２８５が設けられ、その突条部２８５の内側には複数の長孔２８６が所定間隔で一列に並ぶようにして設けられている。」
　　　　　　　　　　　　　　　　　　　　　　　　　　　　　
・記載事項４
　「【０１０３】  表ケース体２７１の左端部は、主制御装置１３１を前記可動ベース板２１２にスライド装着する際の先頭部となっており、当該先端部には係止爪部２９５が設けられると共に、係止爪部２９５を挟むようにして一対のネジ孔部２９６が設けられている。主制御装置１３１を前記可動ベース板２１２に装着する際、係止爪部２９５が前記可動ベース板２１２に設けた係止孔部２４７に係止される。また、ネジ孔部２９６と前記可動ベース板２１２に設けた貫通孔２４８との位置が合い、その状態で貫通孔２４８及びネジ孔部２９６に小ネジ２９７が螺入されるようになっている。
【０１０４】  表ケース体２７１の切欠角孔部２９０の左側には、封印シールＳの貼付面を区画形成する囲い枠３３２が形成されている。主制御装置１３１を前記可動ベース板２１２に装着した際には、表ケース体２７１の囲い枠３３２と、前記可動ベース板２１２に形成した囲い枠３３１とが一体となり、全体として長方形枠状の囲い枠が形成されるようになっている。
【０１０５】  図１３の説明に戻り、表ケース体２７１の右端部には、第３封印部を構成する複数（本実施の形態では２個）の封印結合部３０１が設けられている。封印結合部３０１は筒体状をなし、連結部３０２により表ケース体２７１に連結されている。連結部３０２を切断することにより、封印結合部３０１を表ケース体２７１から切除できるようになっている。
【０１０６】  更に、表ケース体２７１の右端部には鍵取付金具３０５が取付固定されている。この鍵取付金具３０５は、図示しないネジ等の固定具により根元部分が表ケース体２７１に固定されている。鍵取付金具３０５の先端部は斜め外方に折り曲げられ、その折り曲げ部に鍵挿通孔３０５ａが形成されている（図１７等参照）。
【０１０７】  一方、裏ケース体２７２において、底板部３１１を挟んで図の上下両側部には、基板高さ方向に起立し先端部がＬ字状に形成された複数の引掛け部３１２が所定間隔で設けられている。引掛け部３１２は、前記表ケース体２７１の長孔２８６と同じ間隔で設けられており、表ケース体２７１の長孔２８６と裏ケース体２７２の引掛け部３１２とにより両ケース体２７１，２７２の組付が行われるようになっている。」
　　　　　　　　　　　　　　　　　　　　　　　　　　　　
　以上の記載事項１〜４及び図１１、図１３によれば、
　「遊技機の主基板２７３を筐体１１に取付けるための主制御装置１３１であって、前記主制御装置１３１は、前記主基板２７３を内部に密封する透明な合成樹脂製の表ケース体２７１及び裏ケース体２７２からなり、前記表ケース体２７１と前記裏ケース体２７２は複数の引掛け部３１２と対応する長孔２８６で組付され、前記表ケース体２７１の天井部分には、多数の通気孔が形成されている主制御装置１３１。」（以下、「引用例１発明」という。）
　　　　　　　　　　　　　　　　　　　　　　　　　　　　　　
２）引用例２について
　原査定の拒絶理由に引用された刊行物である特開２００６−１７５０１０号公報（公開日：平成１８年７月６日）（以下、「引用例２」という。）には、以下の技術事項が図面とともに記載されている。
　　　　　　　　　　　　　　　　　　　　　　　　　　　　　　　
・記載事項ａ
　「【特許請求の範囲】【請求項１】 遊技機に取り付けられるケース本体部と、該ケース本体部に装着されるケース蓋部とを備え、前記ケース本体部に前記ケース蓋部を装着して形成されるケース内部に前記遊技機の作動を制御する回路基板を収容する遊技機の基板ケースであって、 前記ケース蓋部の内側に突出して設けられた枠体を備え、 該枠体は、前記ケース本体部に前記ケース蓋部を装着すると、前記ケース内部に収容された前記回路基板に取り付けられた特定電子部品の回りを囲むことを特徴とする遊技機の基板ケース。」
　　　　　　　　　　　　　　　　　　　　　　　　　　　　　　　
・記載事項ｂ　
　「【００３１】　そこで、図４（斜視図）に示すように、ケース蓋部５０の内側に枠体６０が一体的に設けられている。この枠体６０は、図５（ａ）（裏面図）及び図５（ｂ）（断面図）に示すように、ケース本体部４１にケース蓋部５０を装着すると、ケース内部に収容されたサブ制御基板２５に取り付けられたＲＯＭ２６等の特定電子部品の回りを囲むように配設されている。枠体６０は、天板部５１から内側へ突出し、左右方向に配置された蓋側周壁部５２より内側に配置されて切り欠き４３、４４に沿って上下方向に延びる一対の第１仕切り部６１、６２とこれらの上端部間を繋ぐ第２仕切り部６３とを有してなり、第１仕切り部６１、６２の各下端部は下側の蓋側周壁部５２の内面に繋がっている。これらの仕切り部６１、６２、６３は、ケース蓋部５０をケース本体部４１に装着すると、サブ制御基板２５の表面近傍位置まで延びる長さを有する。なお、ケース蓋部５０をケース本体部４１に装着したときに、仕切り部６１、６２、６３の少なくともいずれかの先端部がサブ制御基板２５に実装された電気部品と当接する場合には、当接する仕切り部６１、６２、６３に切り欠き部６４を形成してもよい。」
　　　　　　　　　　　　　　　　　　　　　　　　　　　　　　　
　以上の記載事項ａ、ｂおよび図４、図５（ａ）（ｂ）に基づけば、引用例２には以下のことが記載されている。
　　　　　　　　　　　　　　　　　　　　　　　　　　　　　　　
　「ケース蓋部５０が、内側にサブ制御基板２５のＲＯＭ２６等の特定電子部品の周りを取り囲む枠体６０を有している遊技機のケース本体部４１。」（以下、「引用例２に記載の技術事項」という。）
　　　　　　　　　　　　　　　　　　　　　　　　　　　　　　　
３）引用例３について
　原査定の拒絶理由に引用された刊行物である特開２００４−３０５４３７号公報（以下、「引用例３」という。）には、以下の技術事項が図面とともに記載されている。
　　　　　　　　　　　　　　　　　　　　　　　　　　　　
・記載事項ア
　「【０００１】【発明の属する技術分野】本発明は、遊技機に関するものである。」
　　　　　　　　　　　　　　　　　　　　　　　　　　　　
・記載事項イ
　「【０１４８】　裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。保護カバー部３５４の背面には多数の通気孔３５４ａが設けられている。通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置２１４等を露出させることで、所定の検定等を容易に実施することができるようになっている。」
　　　　　　　　　　　　　　　　　　　　　　　　　　　　　　
　上記記載事項ア、イと図２０、図２１に基づけば、引用例３には以下のことが記載されている。
　　　　　　　　　　　　　　　　　　　　　　　　　　　　　　　　
　「保護カバー部３５４の背面において、多数の通気孔３５４ａ及び前記隣り合う通気孔３５４ａの間に樹脂部分が形成されており、前記樹脂部分を切断することにより、前記背面が切断され、その内部を露出させることができる保護カバー部３５４と平坦状のベース部３５３からなる遊技機の裏パック３５１。」（以下、「引用例３に記載の技術事項」という。）
　　　　　　　　　　　　　　　　　　　　　　　　　　　　　　　
（２）対比
　引用例１発明と本願補正発明を対比すると、引用例１発明の「主基板２７３」は、本願補正発明の「制御用主基板」に相当し、以下同様に、「筐体１１」は「機内」に、「主制御装置１３１」は「基板ケース」に、「透明な合成樹脂製」は「透明」に、「表ケース体２７１」は「上基板ケース」に、「裏ケース体２７２」は「下基板ケース」に、「引掛け部３１２」は「爪」に、「長孔２８６」は「爪穴」に、「組付」は「結合」に、「天井部分」は「天板部」、「多数の通気孔」は「複数の貫通穴」にそれぞれ相当している。
　　　　　　　　　　　　　　　　　　　　　　　　　　　
　そして、引用例１発明については、以下のことがいえる。
１）実質的具備事項１
　引用例１の記載事項２の「【００８４】　・・・また、主制御装置１３１は、表裏一対のケース体２７１，２７２を有し、それら各ケース体２７１，２７２間に挟まれるようにして主基板２７３が収容されている。固定ベース板２１１、可動ベース板２１２及び各ケース体２７１，２７２は何れも、主基板２７３に合わせるようにして略横長四角状をなし、ポリカーボネート樹脂等の透明な合成樹脂材料により成形されている。・・・」なる記載および同記載事項４の「【０１０３】・・・【０１０７】一方、裏ケース体２７２において、底板部３１１を挟んで図の上下両側部には、基板高さ方向に起立し先端部がＬ字状に形成された複数の引掛け部３１２が所定間隔で設けられている。引掛け部３１２は、前記表ケース体２７１の長孔２８６と同じ間隔で設けられており、表ケース体２７１の長孔２８６と裏ケース体２７２の引掛け部３１２とにより両ケース体２７１，２７２の組付が行われるようになっている。」なる記載並びに図１３に基づけば、複数の引掛け部３１２とそれに対応する長孔２８６は互いに組付されて、表ケース体２７１と裏ケース体２７２は一体となって主基板２７３を収容する主制御装置１３１を構成するのであるから、表裏のケース体２７１、２７２は複数の引掛け部３１２とそれに対応する長孔２８６を嵌め込むことにより結合されていることは明らかであり、表と裏を単に上下と言い換えたものにすぎないことも明らかである。
　そして、引用例１発明の「表ケース体２７１」「裏ケース体２７２」「引掛け部３１２」「長孔２８６」「組付」は、本願補正発明の「上基板ケース」「下基板ケース」「爪」「爪穴」「結合」に相当していることは上記したとおりである。
　そうすると、引用例１発明は、「上基板ケースと下基板ケースは上下から嵌め込むことにより複数の爪と対応する爪穴で結合され」なる構成を実質的に具備しているということができる。
　　　　　　　　　　　　　　　　　　　　　　　　　　　　　
２）実質的具備事項２
　引用例１発明の記載事項３の「【００９７】・・・【００９９】  表ケース体２７１は、主基板２７３上の比較的背の高い電子部品等を収容可能とする主基板収容部を有しており、周縁部には一段低い段部２８１が形成されている。段部２８１には、主基板２７３上の入出力コネクタ２７５を挿通させるための複数のコネクタ挿通孔２８２が形成されている。なお、符号２８３は、主基板２７３上の検査用コネクタ２７６に通ずる開口部である。図示は省略するが、表ケース体２７１の天井部分等には多数の通気孔が形成されている。・・・」なる記載および図１３に基づけば、表ケース体２７１において、天井部分は比較的背の高い電子部品等を搭載した主基板を収容する収容部を有しているのであるから、表ケース体２７１はいわゆる弁当箱の蓋のような箱型形部状を構成していることは明らかであり、およびその箱型形部状は天井部分を有し、かつ、その天井部分の外周を取り巻く外枠を有していることも明らかである。
　そして、引用例１発明の「表ケース体２７１」「天井部分」は本願補正発明の「上基板ケース」「天板部」に相当していることは上記したとおりである。
　そうすると、引用例１発明は、「上基板ケースの天板部には、箱型形部状となるように前記天板部の外周を取り巻く外枠」を実質的に具備しているということができる。
　　　　　　　　　　　　　　　　　　　　　　　　　
　上記の実質的具備事項１、２および図面を考慮すると、本願補正発明と引用例１発明は、
　　　　　　　　　　　　　　　　　　　　　　　　　　
　「遊技機の制御用主基板を機内に取付けるための基板ケースであって、
　前記基板ケースは、前記制御用主基板を内部に密封する透明の上基板ケース及び下基板ケースからなり、
　前記上基板ケースと前記下基板ケースは上下から嵌め込むことにより複数の爪と対応する爪穴で結合され、
　前記上基板ケースの天板部には、箱型形部状となるように前記天板部の外周を取り巻く外枠とからなり、天板部に複数の貫通穴を有する基板ケース。」の点で一致し、以下の点で相違していると認められる。
　　　　　　　　　　　　　　　　　　　　　　　　　　
＜相違点１＞
　上基板ケースが、本願補正発明においては、内側に制御用主基板の全周を取り囲むリブを有しているのに対して、引用例１発明においては、そのようなリブを有していない点。
　　　　　　　　　　　　　　　　　　　　　
＜相違点２＞
　上基板ケースの天板部の貫通孔において、本願補正発明が、リブと外枠の間にのみ複数の貫通穴及び前記貫通穴の間に切断部が形成されており、前記切断部の全てをカットすることにより、前記天板部が切断され、制御用主基板を取り出すことが可能となるのに対して、引用例１発明は、複数の貫通穴を有しているものの、複数の貫通穴の間隙部を切断部とし、かつ、その切断部の全てをカットすることにより、天板部が切断され、制御用主基板を取り出すことが可能となるか否か不明である点。
　　　　　　　　　　　　　　　　　　　　　　　　　
（３）判断
　上記相違点１、２について、検討する。
＜相違点１について＞
　引用例２に記載の技術事項は、「ケース蓋部５０が、内側にサブ制御基板２５のＲＯＭ２６等の特定電子部品の周りを取り囲む枠体６０を有している遊技機のケース本体部４１。」である。
　ところで、一般的に、制御基板には、基板上の制御回路にＲＯＭ、ＲＡＭが装着され、かつ、この制御用の回路に制御信号を出入りさせるコネクタ部分が基板の周辺部に設けられていることが普通である上、図４、図５からみて、引用例２の枠体６０は制御基板の大部分を取り囲んでいるのであるから、引用例２に記載の技術事項の枠体６０は、サブ制御基板２５の全周を実質的に取り囲んでいるということができる。
　そして、引用例２に記載の技術事項の「ケース蓋部５０」「サブ制御基板２５」「枠体６０」「ケース本体部４１」は、本願補正発明の「上基板ケース」「制御用主基板」「リブ」「基板ケース」に相当していることは、引用例２に記載の技術事項の機能および図面からみて明らかである。
　したがって、引用例２に記載の技術事項は「上基板ケースが、内側に制御用主基板の全周を取り囲むリブを有している遊技機の基板ケース。」と言い換えることができる（以下、「引用例２発明」という。）。
　また、引用例１発明と引用例２発明は、遊技機用の基板ケース内に制御用主基板を内封する点で共通するのであるから、両者の間において技術利用を行うことに格別の困難性はない。
　そうすると、引用例１発明の上基板ケースの天板部に、引用例２発明のリブを採用して、上基板ケースが、内側に制御用主基板の全周を取り囲むリブを有するようにすること、すなわち本願補正発明の上記相違点１に係る構成となすことは、当業者が容易になし得る程度のことということができる。
　　　　　　　　　　　　　　　　　　　　　　　　　　　　
＜相違点２について＞
　引用例３に記載の技術事項は、「保護カバー部３５４の背面において、多数の通気孔３５４ａ及び前記隣り合う通気孔３５４ａの間に樹脂部分が形成されており、前記樹脂部分を切断することにより、前記背面が切断され、その内部を露出させることができる保護カバー部３５４と平坦状のベース部３５３からなる遊技機の裏パック３５１。」である。
　引用例３の記載事項イの「【０１４８】・・・裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。保護カバー部３５４の背面には多数の通気孔３５４ａが設けられている。通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置２１４等を露出させることで、所定の検定等を容易に実施することができるようになっている。」なる記載に基づけば、引用例３に記載の技術事項の「保護カバー部３５４」は、表示制御装置２１４や音声ランプ制御装置２７２をカバーして保護しており、かつ、これら制御装置は制御用基板を有していることは技術常識であって、保護カバー部３５４と平坦状のベース部３５３は一体となって裏パック３５１を形成しているのであるから、引用例３に記載の技術事項の「保護カバー部３５４と平坦状のベース部３５３からなる裏パック３５１」は、本願補正発明の「基板ケース体」と言い換えることができる。
　さらに、引用例３に記載の技術事項の機能および図面からみて引用例３に記載の技術事項の「保護カバー部３５４の背面」は、本願補正発明の「天板部」、以下同様に「通気孔３５４ａ」は「貫通孔」に、「樹脂部分」は「切断部」に、「切断」は「カット」にそれぞれ相当しているといえる。
　また、引用例３に記載の技術事項において、検査、部品取り換えおよび修理のために、樹脂部分を切断して内部を露出させる必要がある部分は一部分に限定されている訳ではない上、検査等のためにそれら検査等の対象物全体を露出させることも当然に想定されるから、引用例３に記載の技術事項は、上基板ケースの全ての樹脂部分をカットする場合も含むと解することができる。
　よって、引用例３に記載の技術事項は「上基板ケースの天板部において、複数の貫通穴及び前記貫通穴の間に切断部が形成されており、前記切断部の全てをカットすることにより、前記天板部が切断され、その内部を露出させることができる遊技機の基板ケース。」と言い換えることができる（以下、「引用例３発明」という。）。
　ところで、引用例３に記載の技術事項の上基板ケースは、所定の検査等のために切断部を全てカットすることにより、上基板ケース内に収容された内部にある表示制御装置２１４や音声ランプ制御装置２７２等を露出させることができるものであるが、必要に応じて検査等の対象物の一部または全体を取り出して検査等を行うことは、例示するまでもなく一般的に行われている技術常識にすぎない。
　そして、引用例１発明と引用例３発明は、制御用主基板を内封する遊技機用の貫通孔を有する基板ケースで関連しているのであるから、両者の間において技術利用を行うことに格別の困難性はない。
　そうすると、引用例１発明の上基板ケースの天板部に設けられた多数の貫通穴に、引用例３発明の上基板ケースの貫通穴の間に形成された切断部を採用する際に、必要に応じて検査等の対象物の一部または全体を取り出して検査等を行う技術常識を参酌することにより、前記切断部の全てをカットして天板部を切断し、内部に収容された検査等の対象物全体を取り出して検査等を可能とすること、すなわち本願補正発明の上記相違点２に係る構成となすことは、当業者が容易になし得る程度のことということができる。
　　　　　　　　　　　　　　　　　　　　　　　　　　　
（４）作用効果およびむすび
　よって、本願補正発明は、引用例１発明、引用例２発明、引用例３発明および技術常識に基づいて、当業者が容易に想到することができたものであり、本願補正発明によって奏する効果も、引用例１発明、引用例２発明、引用例３発明および技術常識に基づいて、普通に予測できる範囲内のものであって格別のものがあると認められないから、特許法第２９条第２項により特許出願の際独立して特許を受けることができないものである。
　　　　　　　　　　　　　　　　　　　　　　　　　　　　　
（５）補正却下の判断
　上記のとおり、本願補正発明は、平成１８年改正前特許法第１７条の２第５項で準用する同法第１２６条第５項の規定に違反するものであるので、平成２０年３月２１日付の手続補正は、特許法第１５９条第１項で準用する同法第５３条第１項の規定により却下されるべきものである。
　　　　　　　　　　　　　　　　　　　　　　　　　　
３．本願発明について
　平成２０年３月２１日付の手続補正は上記のとおり却下されているので、平成１８年１２月２９日付の特許請求の範囲の請求項１に記載された本願発明は、以下のとおりである。（再掲）
　　　　　　　　　　　　　　　　　　　　　　　　　　　　　　　　
　「【請求項１】遊技機の制御用主基板を機内に取付けるための基板ケースであって、前記基板ケースは、前記制御用主基板を内部に密封する透明の上基板ケース及び下基板ケースからなり、前記上基板ケースと前記下基板ケースは上下から嵌め込むことにより複数の爪と対応する爪穴で結合され、
　前記上基板ケースには、箱型形状で外周を取り巻く外枠と、前記外枠の内側に前記制御用主基板の全周を取り囲むリブ、並びに前記リブと前記外枠の間には複数の貫通穴及び前記貫通穴の間に切断部が形成されており、前記切断部の全てをカットすることにより、天板部が切断され、前記爪と前記爪穴が外れること、を特徴とする基板ケース。」
　　　　　　　　　　　　　　　　　　　　　　　　　　　
（１）引用例について
　引用例の記載事項は、上記２．（２）引用例について記載したとおりである。
　また、引用例１発明も当然に下基板ケースの爪と上基板ケースの爪穴は係号し、かつ、その係号を外すことにより基板ケースを開閉できる構成を有していることは明らかである。
　　　　　　　　　　　　　　　　　　　　　　　　　　
（２）対比・判断
　本願発明は、上記２．（４）判断で検討した本願補正発明において、「前記上基板ケースの天板部には」の「の天板部」を削除して「前記上基板ケースには」とし、以下同様に「箱型形状となるように前記天板部の外周を取り巻く外枠と」の「となるように前記天板部の」を削除して「箱型形状で外周を取り巻く外枠と」とし、および「リブと前記外枠の間の前記天板部にのみ複数の貫通穴及び前記貫通穴の間に切断部が形成されており」の「の前記天板部にのみ」を削除して「リブと前記外枠の間には複数の貫通穴及び前記貫通穴の間に切断部が形成されており」にするとともに、「前記制御用主基板を取り出すことが可能になること」を「前記爪と前記爪穴が外れること」としたものである。
　　　　　　　　　　　　　　　　　　　　　　　　　　　　　　
　そうすると、本願発明の構成要件をすべて含み、さらに他の構成要素を付加したものに相当する本願補正発明が、上記２．（４）判断〜（５）作用効果およびむすびに記載したとおり、引用例１発明、引用例２発明、引用例３発明および技術常識に基づいて、当業者が容易に発明することができたものであるので、特許法第２９条第２項の規定により特許を受けることができないものである。
　したがって、本願発明も、同様の理由により、引用例１発明、引用例２発明、引用例３発明および技術常識に基づいて、当業者が容易に発明をすることができたものである。
　　　　　　　　　　　　　　　　　　　　　　　　　　　　
（３）むすび
　以上のとおり、本願発明は、引用例１発明、引用例２発明、引用例３発明および技術常識に基づいて、当業者が容易に発明をすることができたものであるから、特許法第２９条第２項の規定により特許を受けることができない。
　よって、結論のとおり審決する。